(57)【要約】発泡体成分などの複数の流体を相互に混合すると共に該混合流体を供給する供給器は、流体取入口および吐出口を備えた該供給器の本体部分を有する。ユーザが把持および操作するのが容易になるように、上記本体部分から把持部が延在する。上記供給器の混合チャンバに進入する発泡体成分の流れを制御するように、上記本体部分内には流量制御弁が配置される。上記本体部分には、上記把持部と対向し且つ該把持部から離れてトリガが移動可能に取付けられる。そして、上記供給器の偶発的操作を防止する安全装置が上記トリガに移動可能に取付けられると共に該トリガの長さ方向に亘って延在し、該安全装置は常に安全位置へと付勢される。上記安全装置は上記流量制御弁の偶発的操作を引き起こすのに十分なほど上記トリガが移動してしまうのを防止するアームを有し、且つ、該安全装置は上記混合流体を供給するために上記供給器を起動するのに用いられるのと同一の片手動作によって解除される。
2004512936.tif 000002
【特許請求の範囲】
【請求項１】
各発泡体成分を混合して膨張可能な発泡体を形成すると共に該発泡体を供給する供給器であって、
発泡体成分取入口と発泡体混合チャンバとを有する本体部分と、
ユーザが把持および操作をし易いように上記本体部分から延在する共に停止表面を有する把持部と、
上記供給器混合チャンバに進入する発泡体成分の流れを制御するように上記本体部分に配設された流量制御弁と、
上記流量制御弁に移動可能に取付けられると共に上記把持部に対向しつつ該把持部から離間して配設されたトリガであって、当該トリガの運動により上記流量制御弁が開放且つ閉鎖されることで、それぞれ当該供給器を通る上記各発泡体成分の流れが許容され且つ当該供給器を通る上記各発泡体成分の流れが止められるトリガと、
当該供給器の偶発的な操作を防止する安全装置であって、上記トリガに移動可能に取付けられると共に該トリガの長さ方向に延在し、上記把持部の停止表面に対向して配置された突出アーム部分であって上記流量制御弁の偶発的操作を引き起こすのに十分な上記トリガの実質的な偶発的移動を防止する突出アーム部分を有する安全装置とを具備する供給器。
【請求項２】
前記安全装置は前記トリガの外側面を越えてトリガの丈に亙り延在する起動部分を更に有し、上記トリガが押し込まれたときにユーザの指が上記安全装置を把持して起動する請求項１記載の供給器。
【請求項３】
前記安全装置は、前記流量制御弁が閉鎖される第一作動位置と上記流量制御弁が開放される第二作動位置との間で移動可能であり、
当該供給器は、上記安全装置を上記第一作動位置に付勢する手段であって上記安全装置を前記把持部に連結する手段を更に有する請求項１記載の供給器。
【請求項４】
前記安全装置は、ユーザにより押し込まれたときに該安全装置が反時計回りに移動し且つ前記安全装置のアーム部分が前記把持部の停止表面と対向しなくなるように移動するように、前記トリガに移動可能に取付けられる請求項２記載の供給器。
【請求項５】
前記安全装置は、ユーザにより押し込まれたときに該安全装置は時計回りに移動し且つ前記安全装置のアーム部分が前記把持部の停止表面と対向しなくなるように移動するように、前記トリガに移動可能に取付けられる請求項２記載の供給器。
【請求項６】
前記安全装置が前記第一作動位置にあるときに前記安全装置のアーム部分が前記把持部停止表面に対向することで、前記流量制御弁を操作する前記トリガの実質的な移動を防止し、且つ、上記安全装置が前記第二作動位置にあるときに上記安全装置のアーム部分が上記把持部停止表面と対向しなくなるように移動することで上記トリガが上記流量制御弁を操作するように移動される請求項３記載の供給器。
【請求項７】
前記安全装置の起動部分は、前記トリガを把持する場合に該トリガと前記安全装置との両方がユーザの指により起動されるように、上記トリガの外側表面を越えて該トリガの長さに亘って突出する請求項２記載の供給器。
【請求項８】
前記安全装置の起動部分は前記トリガの前面に沿って配設される請求項７記載の供給器。
【請求項９】
前記トリガと前記安全装置とが並んだものを前記把持部から離間し且つ付勢する付勢スプリングを更に有する請求項１記載の供給器。
【請求項１０】
関連する供給ノズルを通る少なくとも一条の流体からの流体を供給する供給器組立体であって、
流体取入口と流体吐出口とを有する本体部分と、
ユーザが把持および操作し易いように上記本体部分から延在する把持部と、
供給ノズルを通る流体の流れを制御するように上記本体部分に配設された流量制御弁と、
上記流量制御弁を選択的に操作するように上記把持部と対向しつつ該把持部から離間して配設されたトリガと、
上記流量制御弁の偶発的な操作を防止する安全装置であって、上記トリガに取付けられると共に該トリガの把持表面に沿って該トリガの長さ方向に延在する安全装置とを具備する供給器組立体。
【請求項１１】
前記安全装置と前記トリガとを前記把持部から離間した第一作動位置へと付勢する手段であって、上記安全装置と上記把持部との間に介設された付勢手段を更に有する請求項１０記載の供給器組立体。
【請求項１２】
前記付勢手段は前記把持部と前記安全装置とにそれぞれ係合する対向する二つの自由端部を有するスプリングを有する請求項１１記載の供給器組立体。
【請求項１３】
前記スプリングは前記二つの自由端部間に介設されたコイル部分を備えたコイルスプリングを有する請求項１２記載の供給器組立体。
【請求項１４】
前記各自由端部は前記把持部と前記安全装置とにそれぞれ係合するように前記コイル部分から上方に延在する請求項１３記載の供給器組立体。
【請求項１５】
前記把持部は把持表面を有すると共に前記トリガは把持表面を有し、上記トリガの把持表面は上記把持部の把持表面に沿って該把持部の把持表面の長さに亘って延在する請求項１０記載の供給器組立体。
【請求項１６】
前記安全装置は前記トリガ内に移動可能に取付けられると共に上記トリガは前記流量制御弁に取付けられ、上記安全装置は上記流量制御弁の下方において上記トリガ内に取付けられる請求項１０記載の供給器組立体。
【請求項１７】
少なくとも二種の流体を混合して該混合流体を放出する供給器であって、
少なくとも二つの流体取入口を有する供給器本体部分であって、供給ノズルと、上記本体部分内に配設された流量制御弁であって、上記供給ノズルと上記流体取入口との間に介設されて、上記供給器本体部分を通って上記供給ノズルから放出される上記流体の流れを制御する流量制御弁とを有する供給器本体部分と、
ユーザが当該供給器を把持し易いように上記本体部分から延在する把持部であって、前向きの停止表面とその近傍のキャビティとを有する把持部と、
上記供給器本体部分に移動可能に取付けられたトリガであって、上記把持部から離すような付勢力を該トリガに及ぼすスプリング部材により上記把持部から離間され、ユーザの手により加えられた圧力で上記把持部に向けて移動可能であり、更に上記流量制御弁に対して作用的に連結され、上記把持部に向けた該トリガの移動により上記流量制御弁が一方向に回転されて開放されることで当該供給器を通って上記供給ノズルから放出される上記流体の通過が許容される一方、上記把持部から離れる該トリガの移動により上記流量制御弁が上記一方向とは反対方向に回転されて閉鎖されることで当該供給器を通って上記供給ノズルから放出される上記発泡体成分の通過が防止されるトリガと、
上記トリガおよび上記流量制御弁の偶発的操作を防止するトリガロックであって、上記トリガに移動可能に取付けられた長寸ロック部材であって上記トリガに関して該トリガの長さ方向に延在する長寸ロック部材を有し、該ロック部材が上記把持部に向けた上記トリガの移動に対して選択的に干渉する後方突出アームを有し、上記アームが上記停止表面に対向して配設される第一作動位置と上記アームが上記キャビティに対向して配設される第二作動位置との間で移動可能であるトリガロックとを具備する供給器。
【請求項１８】
前記キャビティは前記停止表面の近傍であって該停止表面の上方に配設される請求項１７記載の供給器。
【請求項１９】
前記キャビティは前記停止表面の近傍であって該停止表面の下方に配設される請求項１７記載の供給器。
【請求項２０】
前記アームは、前記安全装置が前記第一作動位置にあり且つ前記流量制御弁を操作するように前記トリガが前記把持部に向けて移動されたときに前記停止表面に接触する自由端部を更に有する請求項１７記載の供給器。
【請求項２１】
流体の加圧補給源からの流体を供給する供給器であって、
流体取入口と流体吐出口とを有する本体部分であって、該本体部分が該本体部分から延在する把持部を有し、上記把持部がユーザにより把持される把持表面を有する本体部分と、
上記流体取入口と上記流体吐出口との間に介設されるべく上記本体部分内に配設されて上記流体吐出口を通る流体の流れを制御する流量制御弁であって、該流量制御弁内に形成された少なくとも一本の流路であって上記流体が通過するのを許容するために上記流体取入口および吐出口と連通されるように且つ連通から外されるように移動可能な少なくとも一本の流路を有する流量制御弁と、
上記流量制御弁を選択的に操作するトリガであって、上記流量制御弁に取付けられると共に上記把持部と対向し且つ該把持部から離間されるように上記本体部分から離れるように延在するトリガと、
上記流量制御弁の偶発的操作を防止するトリガロックであって、上記トリガに移動可能に取付けられると共に、上記把持部の上記把持表面に沿って上記トリガの長さに亘って延在する起動面を有するトリガロックとを具備する供給器。
【請求項２２】
前記トリガロックは該トリガロックから前記把持部に向かって後方に突出する停止アームを有し、
上記把持部は上記トリガロックの停止アームに対向するように該把持部に配設された停止表面と、該把持部に形成されたキャビティであって上記停止表面の近傍に配設されたキャビティとを有し、
これにより、ユーザが上記把持部を把持して上記トリガロック起動面を押し込んだときに上記トリガロックの停止アームは上記停止表面との対向しなくなるように移動されて上記把持部のキャビティと整列することで上記流量制御弁の操作が許容される請求項２１記載の供給器。
【発明の詳細な説明】
【０００１】
発明の背景
本発明は、発泡体分野で用いられる供給器（ｄｉｓｐｅｎｓｅｒ）およびガン形状の供給装置（ｄｉｓｐｅｎｓｉｎｇ ｄｅｖｉｃｅ）に関し、より詳細には、容易に低コストで大量生産され得ると共に不注意によるもしくは偶発的な化学物質の放出を防止すべく容易に選択的に起動され得る供給器に関する。
【０００２】
ここ２０年に亘り、多くの用途に対するポリウレタンなどのプラスチック発泡体の使用は増え続けてきた。ウレタン、およびその関連生成物であるイソシアヌレート、シリコーン、フェノールおよびエポキシなどが多くの望ましい特性を有することは公知である。これら特性としては、優れた断熱性、膨張剤もしくは発泡剤との親和性、化学的特性の再現性、および、最終生成物における優れた化学的および物理的特性が挙げられる。
【０００３】
多くのウレタン発泡体は、多くの一般的な溶媒、湿気および大気酸化による劣化に対して耐性を有する。ウレタンは、所定コストに対して断熱性と物理的強度との最適な組合せを提供する。上記発泡体は本来的に粘着性材料であり、多数の物質に良好に付着する。この点に関し、該発泡体は構造的強度が重要な要素である場合に多くの物品に対して構造的強度を付加され得る。また有効な組成によれば、耐火性が容易に達成される。
【０００４】
二つの個別成分の反応生成物であるウレタン発泡体では、多数の目的に対して化学組成を変更することができる。よって、ウレタン発泡体は、非常に堅固な、半堅固な、または幾分か可撓および／または弾性的である最終生成物を提供するように調製され得る。このような種類の発泡体は、ほぼ独立している独立気泡と共に、または所望割合の開放気泡と共に作成される。
【０００５】
本発明が用いられ得る生成物のタイプは基本的に、建築構造において断熱目的で使用される二成分および一成分の独立気泡発泡体型の生成物、ならびに、パッケージ用途で一般的に用いられる連続気泡発泡体型である。上記発泡体の各成分は２７６ｋＰａ〜１．７２ＭＰａ（４０〜２５０ｐ．ｓ．ｉ．）よりも高圧で、各成分が放出されるノズルにおいて各成分を計量して完全に混合する役割を果たす手持式供給器を通過せしめられる。化学成分は、事前加圧されたシリンダ内に入れられて現場へと直接的に搬送されるか、または、外部ポンプもしくは他の加圧方法を利用する大容量タンクに入れられて搬送される。ここで、供給される必要のある生成物の量は、工場で用いられるような永続的で高価な機器を要するほどに大量ではない。しかし用いられる生成物の量は、例えば小寸の個別エーロゾル容器を用いて収容可能な量よりも相当に大量である。上記各成分の個々の容器は、０．４５ｋｇ〜４．５ｋｇ（数ポンド）から１１．３ｋｇ〜２２．７ｋｇ（２５〜５０ポンド）以上の各成分を担持する。これらタンクは現場において一人の作業員により移動されるべく十分に運搬し易くなっていながらも、０．２３６ｍ３〜２３．６ｍ３（数百〜数千ボードフィート（ｂｏａｒｄ ｆｅｅｔ））の被覆を提供するのに十分な発泡体を提供することができる。
【０００６】
手持式供給器はこれら小寸の化学補給タンクと共に用いられ、且つ、このような供給器は低コスト性ならびに使用時における信頼性および安全性の利点および特性を提供する。
【０００７】
１９９７年６月３０日に発行されると共に本発明の譲受人に対して譲渡された米国特許第４，６７６，４３７号は、このような手持式供給器における代表的な構造を開示している。この供給器は、トリガと、当該供給ガンから化学成分が不注意で放出されてしまうのを防止する安全装置とを備えたガンの形態を取る。このような放出は、不都合であると共に危険である。
【０００８】
上記発泡体の操作圧力、反応成分および他の特性は、偶発的な放出が起こらないようなものである。これら放出は、作業領域に廃材を散らばらせてしまう。また、このような放出は多くの場合、ユーザが安全装置のリセットを忘れたときまたは軽視したときにおける、不注意もしくは不適切な操作によって起こる。上記米国特許の供給器における欠点の一つは、安全装置を「オン」位置から「オフ」位置へと操作することが困難であると共に、場合によってはそれを移動するために両手の使用が必要なことにある。別の欠点は、供給ガンの使用後におけるトリガ安全装置のリセットが供給器を起動する際に自動的もしくは自然に行われるものでは無いことにある。この安全装置の構造はまた、「オフ」位置から「オン」位置への操作を容易に忘れさせるものでもある。よって、通常、最初に使用した後、上記トリガ安全装置が「オン」位置には戻されることはない。このような状況において、ガンすなわち供給器が使用中に不注意より落下してしまうと、ガンの落下によりトリガが起動されて発泡体が偶発的に放出されてしまう。
【０００９】
このため、使用が容易であると共に自動的にリセットされることで低コスト性ならびに使用に際しての安全性および信頼性の利点および特性を提供する発泡体供給器用安全装置に対する要望がある。
【００１０】
そこで、本発明は、上述した欠点を克服する手持式発泡体供給器用安全機構に関する。
【００１１】
発明の要約
そこで、本発明の概略的目的は、容易で低コストな大量生産に適する発泡体供給器であって、使用が容易であると共に当該供給器の不注意による操作を防止する優れた安全機構を有する発泡体供給器を提供することにある。
【００１２】
本発明の別の目的は、使用された後は「オン」位置へと自動的にリセットされる発泡体供給器用安全装置を提供するにある。
【００１３】
本発明の更に別の目的は、発泡体供給器のトリガに組み込まれた安全装置であって、供給器からの発泡体の放出を行うためにトリガが把持されるのと同時に「オフ」位置へと操作される安全装置を提供することにある。
【００１４】
本発明の更に別の目的は、発泡体成分の放出を起動するためにユーザが自然な把持動作で片手で安全装置およびトリガを操作することができるように供給器のトリガの把持表面から延在する安全装置を有する発泡体供給器を提供することにある。
【００１５】
本発明の更なる目的は流体供給装置用トリガロックを提供することにあり、この場合に上記装置は、把持部と、該装置に移動可能に取付けられたトリガであって上記把持部に向けて押し込まれることで当該供給器の流路を開放して流体の通過を許容するトリガとを有し、上記トリガは該トリガと一体化されたロック部材を有し、該ロック部材は上記トリガの長さに亘り延在する起動部分であってユーザにより押込み可能な起動部分を有し、上記ロック部材を押し込むと該ロック部材が上記把持部の停止表面との干渉がなくなるように移動されるので、上記トリガが完全に押し込まれて上記供給器が起動され、上記装置は上記トリガを開放／非押込位置へと付勢する手段を有する。
【００１６】
本発明はその新規で独特な構造により、これらのおよび他の目的を達成する。本発明の好適な実施形態は、膨張可能な発泡体を形成するように二つの反応性発泡体成分を混合すると共に上記膨張可能発泡体を供給する供給器であって、発泡体成分取入口と発泡体混合チャンバとを有する本体部分を有する供給器に特徴付けられる。上記本体部分からはユーザが把持および操作し易いように把持部が延在する。上記供給器の混合チャンバに進入する発泡体成分の流れを制御するために、上記本体部分内には流量制御弁が配置される。上記本体部分には、上記把持部と対向し且つ該把持部から離間されたトリガが移動可能に取付けられる。上記供給器の偶発的操作を防止する安全ラッチもしくはトリガロックが配備される。上記安全装置は、上記トリガの本体内に取入れられると共に、上記トリガの長さ方向に延在し、上記トリガの把持表面を越えて突出する突出部分を有する。上記安全装置は、ユーザにより上記トリガが把持されたときに該安全装置が容易に押し込まれることで上記トリガの操作が許容されるように、上記トリガに位置される。同様に、ユーザが上記トリガを把持しないときに上記安全装置は安全位置へと付勢されることから、上記供給器が落したとしても上記安全装置により上記供給器の動作と発泡体成分の放出とが防止される。
【００１７】
上記安全装置には、該安全装置から後方に延在するアーム部材が配備される。上記供給器の把持部は、停止表面と、これに対して相互に近接して配置されたキャビティとを有する。上記安全装置が押し込まれずに上記トリガに力が付与された場合、上記アーム部材は上記停止表面と干渉して上記トリガの起動運動を防止する。上記トリガが把持されたとき、上記安全装置は自動的に押し込まれると共に、上記アーム部材は上記停止表面と対向しなくなるように移動され且つ該アーム部材を受容する上記把持部のキャビティと整列されることから、操作者による上記トリガの完全な押し込みが許容される。
【００１８】
本発明のこれらのおよび他の目的、特徴および利点は、以下の詳細な説明を考慮すれば明確に理解される。
【００１９】
以下の詳細な説明においては添付図面を参照する。なお、添付図面において、同一の参照番号が同様の部材を表す。
【００２０】
発明の詳細な説明
図１０を参照すると、米国特許第４，６７６，４３７号に開示かつ権利請求された従来技術の発泡体供給器が２００で概略的に示されている。この公知の構造において上記供給器は、ガン本体部分２０２と、ガン本体２０２から下方に延在する把持部２０３と、ガン本体２０２に移動可能に取付けられたトリガ２０４とを備えたガン形状を有する。上記トリガは、スプール弁２０５を回転することで、該弁２０５内に形成された各内部通路２０６が、ガン本体２０２の二つの取入口２０８に形成された通路２０７とそれぞれ整列すべく移動されるように、スプール弁２０５を起動させるのに用いられる。そのように整列されたときに、これら弁通路２０６は、ガン２００の混合・供給ノズル部分２１０の二つ取入口に対しても連通する。
【００２１】
把持部２０３とトリガ２０４との間に延在するスプリング２１２が配備されてトリガ２０４を外方へ付勢することから、（上記トリガに対して付与される圧力が無ければ）上記トリガは常に、スプール弁通路が上記二つの取入口と整列されず、よって発泡体成分が弁２０５を通ってノズル部分２１０内へと流れることのない準備状態に留まる。
【００２２】
ガン２００の偶発的な操作および不注意による発泡体成分の放出から保護するために、この公知のガン２００には、ピン２２２もしくは他の同様の部材によって把持部に対して移動可能に取付けられたレバー２２１の形態の安全装置２２０が組み込まれている。
【００２３】
作動時において安全装置２２０は、上記レバーの自由端部２２４がトリガ２０４に向かい合って位置するまで、矢印Ｓに沿って反時計回りに手動で回転される。安全レバー２２１の移動は、把持部２０３の内面２２６に当接する停止縁部２２５により制限される。この位置において安全装置２２０は、矢印Ｆに沿ってトリガ２０４に付与される力に抵抗することで該トリガの移動を防止する。ガン２００を操作するには、安全レバー２２１は時計回りに把持部の凹所２３０内へと上方へと移動され、よって上記トリガの完全な移動に対する上記レバーによる干渉が取り払われる。
【００２４】
効率的ではあるが、この安全装置構造は幾つかの欠点を有する。第一に、上記安全レバーは何らかの特定の位置へと付勢されてはいない。第二に、安全レバー２２１が上方へ移動せしめられたときに該レバーは「オフ」位置に留まるので、もしガンが偶発的に落下するとトリガ２０４は弁２０５を放出位置へと完全に変位させることができる。この偶発的な放出により、散乱した無駄な発泡体が生じてしまう。
【００２５】
本発明は、このような発泡体供給器もしくは他の流体供給器で使用される安全機構もしくはトリガロック機構であって、これら欠点を回避する優れた構造を有する機構に関する。図１を参照すると、本発明の原理に従い構築された供給器は概略的に１０で示される。供給器１０は図示したようにガンの形状をとると共に、把持部１４を有する本体部分１２、流量制御弁ハウジング１６、ノズル用凹所１８、ノズル・ラッチ／取出し組合せ要素２０、トリガ２４、安全装置２６、付勢機構２８および一対の取入継手３０等、多数の基本構成要素を有する。
【００２６】
図２において供給器本体部分１２は、該部分から離れるように且つ好ましくはユーザによる把持を促進する方向に延在する把持部１４を有する。把持部１４は、前面３２と、後面３４と、該前後面３２、３４を相互接続する一対の側部３６、３８を有する。把持部１４の前面３２にはキャビティ４０が配置され、該キャビティは、発泡体を供給するために安全装置２６が「オフ」位置（図４）にあるときに該安全装置から延在する捕捉部もしくはアーム５４を受容するような寸法とされる。また、把持部１４はキャビティ４０の近傍であってその下方（図３、図４）もしくは上方（図６から図８）において前面３２に形成された停止部４２を有するのが好ましい。図３、図５および図６に示したように、この停止部４２は、安全装置２６が「オン」位置にあるときに安全装置捕捉部５４と向かい合うように配置される。停止部４２は、把持部の前面と面一に形成されるか又は該前面上の突起として形成されてもよい。図示したように停止部４２は、キャビティ４０と、把持部１４の成形を容易にするように形成された該把持部のキャビティ４４との間に配設されてもよい。捕捉部アーム５４の自由端部５８は、停止部４２と係合してトリガ２４に対してユーザが付与する力に関わりなく供給器１０の操作を防止する輪郭表面５９を有する。捕捉部５４の自由端部５８の尖端５６は、トリガ２４の不注意なまたは不適切な操作をなくす。
【００２７】
安全装置２６がその「オン」位置にあると共にユーザが供給器１０を操作するために把持部１４に向けてトリガ２４を移動させようとした場合、捕捉部５４が停止部４２に接触し、また、尖端５６が配備されているときには該尖端５６が部分的に受容部４４と係合する。図５に示したように、この係合によりトリガ２４が更に移動することが防止される。このロック係合は、上記ガンが落下した場合等のように、トリガ２４の下側部分１３０に力が加わったときに生ずる。なお、キャビティ４０は停止部４４の上方に且つ受容部４４は停止部４２の下方に配設されるのが好ましい。但し、キャビティ４０は他の実施形態においては停止部４２の下方にも配設され得ると共に、受容部４４は不要とされる（図６から図８）。
【００２８】
把持部１４は更にキャビティ４６を有し、該キャビティ４６は、戻しスプリング６０として示されたトリガ付勢器２８であって、その中央コイル６２にて生成された捩れ力に応じて動作する「洗濯バサミ」形状もしくはヘアピン形状を有するトリガ付勢器２８の一部を受容する。以下に記述される機能を達成する他の形式のスプリングを使用してもよい。
【００２９】
把持部１４の後面３４は、グリップ端部５０から外方突出停止部５１へと延在する人間工学的曲線形状面４８により特徴付けられる。把持部１４は、ユーザに対して快適で疲れないように設計され、ユーザが供給器１０のバランス取り、把持および起動するのを容易にする。
【００３０】
供給器本体１２の上部は円筒状制御弁ハウジング１６を有し、該ハウジングは、該ハウジング１６の主要長手軸線を横切る方向に延在する円筒状ボア６６を画成する円形側壁６４を備えている。弁ハウジング１６はまた各発泡体成分用継手３０を収容し、各継手は好ましくは固定用溝６８を有する。各継手３０は、好ましくはスプリングクリップ７０の形態である継手固定部と協働することにより軸線方向の移動に抗して所定位置に固定される。また、Ｏリング７２形態であるシール部材がシール用溝６９内に配設されて、継手３０とガンハウジング１６との間に液密シールを確立する。
【００３１】
ハウジング１６上に装填部７４が設けられ、該装填部は、固定位置にあるときにノズル取出し・ラッチ部材２０を保持するようにほぼ平行で僅かにテーパ付けされた側壁７６、７８を有する。これら側壁７６、７８は、ノズル・ラッチ／取出し要素２０をハウジング１６に取付けるための枢動用突起部８２を受容する開口８０を有する。この要素２０は、枢動用突起部８２の一方の側に指用タブ８４を備えた揺動子型レバーを有する。枢動用突起部８２の他方の側には、水平脚部８６および垂直脚部８８が位置する。掛止用脚部８６はフック９０にて終端し、脚部８８の前面９２は使い捨てノズルの後面に係合するように作用する。側壁７６、７８は掛止／取出し要素２０の脚部８６、８８に緊密に係合するように離間され、これにより、指用タブ８４に圧力が加えられたとき以外は該要素２０が自由に移動するのが防止される。
【００３２】
図３および図４に明示したようにノズル受容組立体１８はハウジング１６の前端部に配設されると共に該組立体は内径方向に向けられた円筒状のノズル案内面９４を有し、該ノズル案内面９４はその内端において、混合チャンバ９９を画成する前壁部分９６にて終端する。ノズル案内面９４には、混合および供給のために流体成分を受け入れる準備ができた位置へ（不図示の）ノズルを整列かつ案内するように、整列スロット９８、１００を配備してもよい。
【００３３】
同一の外側突起部もしくはタブ１０６、１０８を有するスプール弁１０４が示されており、各タブには、トリガ２４をスプール弁１０４によりガン本体１２に接続するタッピング螺条付留具１１１、１１３を受容するための１０７、１０９と示された孔が形成されてもよい。スプール弁１０４は一対の弁要素１１０、１１２に分割されており、各弁要素は各弁要素用の成分流路１１４、１１６を有する。
【００３４】
スプール弁１０４の回りで円周方向に延在する溝内には（不図示の）Ｏリング形態のシール手段が配設され、該スプール弁１０４を弁要素１１０、１１２に分割する。スプール弁１０４は、トリガ組立体２４の移動で回転される。図３は、弁流路１１４、１１６が本体部分１２の各取入口と整列されず、よって発泡体成分が供給器を通過できない第一作動位置にあるトリガ２４を示している。図４は、弁流路１１４、１１６が各取入口に整列され、よって流れ成分が直接的に供給器を通って上記ノズルに流入することができる第二作動位置にあるトリガ２４を示している。
【００３５】
トリガ２４は上端にて脚部１２２、１２４を有するヨーク形態のハンドピース１２０を有し、各脚部は、該脚部に対して留具１１１、１１３により締着されるスプール弁突起部１０６、１０８を受容するように１２６、１２８にてスロットが形成されている。トリガ２４は、ユーザの把持を促進する把持用輪郭付き前面１３０を有する。安全装置すなわちトリガロック２６は、トリガ２４および供給器１０の偶発的操作を防止すべく配備される。図３に明示したように、上記トリガには特に前面１３０にスロット１３２が形成され、該スロットは安全装置２６を受容する。このスロット１３２は好ましくは、トリガの後面１３４まで貫通延在する。スロット１３２は、トリガ２４の長手範囲の約２／３の位置まで延在するのが好ましい。このような配置構成ではユーザは、ユーザの少なくとも二本の指で安全装置２６を把持して作動させ、一方、ユーザの少なくとも二本の指でトリガ２４を把持して作動させることで、片手の指で安全装置２６およびトリガ２４の両者を把持することができる。このようにしてユーザは、片手のみで容易に供給器１０を把持して作動させることができる。
【００３６】
安全装置２６は、その前面に配置された輪郭付け外側面１３８と、捕捉部５４と、一対の枢動用突起部１４０と、溝１４２と、アーム１４４とを有する。捕捉部アーム５４は上記安全装置本体から離れるように、把持部１４の方向に延在する。捕捉部５４の自由端部５８は、安全装置２６およびトリガ２４がそれぞれ第一作動位置（図３）にあるときに停止部４２と対向するように配設される。
【００３７】
上記安全装置の本体の側部１５０、１５２上にはそれぞれ一対のピンもしくは枢動用部材１４０が形成され、該枢動用部材はスロット１５４内に受容されると共にトリガ２４の後面１３４に配設されることで、トリガ２４内における安全装置２６の移動を容易にする。この協働関係により、安全装置起動面１３８は（スプリング２８の付勢下で）トリガ２４の前面１３０から所定距離だけ離間して配置される一方、安全装置２６の時計回りもしくは反時計回りの移動（図３、図４、または、図６から図８）が許容される。
【００３８】
なお、本明細書中における“時計回り”もしくは“反時計回り”という方向性語句の使用は、上記供給器が図１から図８に示された方向を向き且つユーザの右手で把持されたときにおける安全装置２６の枢動点の回りにおける該安全装置の回転運動に関している。ユーザが左手により供給器１０を保持すると共に供給器を逆方向に向けた場合、これらの方向は逆となることは理解されよう。
【００３９】
スロット１３２の一部として形成された端壁１３６と対向するように安全装置２６の底部１５６にはタブアーム１４４が延在し、該タブアームは（図３に示したように）安全装置２４の移動とトリガ２４からの安全装置２６の係合解除とを制限する。付勢スプリング６０の一部を受容するために、上記安全装置には溝１４２も配備される。
【００４０】
戻しスプリング６０は、中央コイル６２と、それぞれ自由端部６１で終端する一対の対向延在アーム６３とを有する。スプリング６０の各自由端部６１は把持部１４に形成されたスロット４６と安全装置２６に形成された溝１４２とに連結され、これにより安全装置およびトリガが図３に示されたそれぞれの位置へと付勢される。この付勢力は、上記安全装置と、特に枢動用突起部１４０およびアーム１４４とを介してトリガ２４へと伝達される。よってトリガ２４および安全装置２６は、通常は把持部１４から離れるように付勢される。また、トリガ２４および安全装置２６に対する圧力をユーザが解除した後、付勢手段２８は上記安全装置およびトリガを自動的にこの位置へとリセットする。
【００４１】
図３は「ロック」状態における供給器１０を示し、この場合に安全装置２６は「オン」位置にあることから、トリガ２４はトリガから離れるように付勢されてスプール弁１０４が閉鎖位置にあることを意味する。クリップ７０（図２）は取入継手３０を、供給器ハウジング１６の座刳（ざぐ）り１５８内の所定位置に着脱自在に保持する。継手３０は、座刳り１３０内において液密関係（図３および図４）で該継手３０のシールを促すように溝６９内に設けられるＯリング７２を有する。
【００４２】
スプール弁１０４は、トリガ２４が図３の第一位置を取るときに発泡体成分が該スプール弁を流れないように位置する。この位置においてスプール弁の流路１１４、１１６は近傍の取入通路のいずれとも整列されずに発泡体成分の流れから遮断される。なぜなら、これら流路はスプール受容開口６４を画成するバルブボアの内側部と対面するからである。
【００４３】
図４は、安全装置２６が起動され即ちその「オフ」位置へと移動されており且つトリガ２４は付勢スプリング６０による圧力に抗して把持部１４の方へと変位されている点を除き、図３の説明に関して言及された各要素を同一関係で示している。この移動によりスプール弁１０４の上記流路は上記取入口と整列されることから、流れ成分は供給器１０を通って流れる。安全装置２６とトリガ２４のハンドピース部分１２０との把持は、ユーザの片手における各指の自然な関節結合により達成される。好ましくは安全装置２６はハンドピース部分１２０の長さの２／３以下まで延在するので、ユーザは両者を把持することができる。安全装置２６が「オフ」位置へと移動されたとき、アーム部材５４はもはや停止部４２に対向するのでは無くキャビティ４０に対向する。安全装置２６が押し込まれてその「オフ」位置とされて、トリガ２４が第一作動位置（図３）から第二作動位置（図４）へと移動されると、アーム部材５４は把持部のキャビティ４０内に受容されるので、スプール弁１０４が上記供給器の流路に整列するように移動されることができ、これにより発泡体が供給される。
【００４４】
ユーザが供給器１０の使用を終了してトリガ２４を解放した後、安全装置２６も戻しスプリング６０の付勢力の付勢下で解放される。よって、把持部１４および安全装置２６は両者ともに、それらの第一作動位置へと戻される。このため、本発明のトリガロック機構は、ユーザ側の何らの行為を必要としない自動リセット機能を有するので、「デッドマン」リセット機能を有する。尚、従来技術の供給器で必要とされる複雑な運動とは対照的に、上記安全装置を操作する運動は、ユーザの自然な「把持」もしくは「挟持」運動であり、トリガ２４を押し込む単一動作で行われることも銘記すべきである。
【００４５】
図５に示されたように、たとえユーザが安全装置２６をその「オフ」位置へと移動せずに上述したように弁１０４を起動しようとしても、捕捉部５４の自由端部５８が停止部４２に接触してトリガの更なる移動が防止される。好ましくは、輪郭表面５９および尖端５６は協働してそれらの間に停止部４２を捕捉するので、安全装置および／またはトリガを破壊しなければハンドピース部分１２０に如何なる量の力を加えても弁１０４は起動されない。
【００４６】
図６から図８は、トリガ内における安全装置２６の取付けが該安全装置の回転運動を逆転するように改変されたことを除いて、図３から図５の説明に関して言及したものと概略的に同一の関係で各要素を示している。安全装置２６の枢動用突起部１４０は、トリガ２４の下側自由端部１６０の近傍に位置する。安全装置２６の起動面１３８は依然として、上述したように把持表面１３０に沿って延在すると共に該把持表面から突出する。
【００４７】
この実施形態において上記安全装置の起動運動は逆転されており、すなわち、供給器１０がユーザの右手に保持され且つ該供給器が図７および図８に示された方向に配向されたときには、安全装置は該安全装置の枢動用部材の回りにおいて、上記第一実施形態と同様の反時計回りにでは無く、時計回りで運動する。スプリング６０の配向は同一のままであり、その中央コイル６２は該スプリング６０の二つの自由端部６１の下方に且つこれら自由端部の間に配設される。スプリング６０は安全装置２６およびトリガ２４を把持部１４から離すように付勢し、この場合にスプール弁１０４の流路１１４、１１６は上記取入口と整列されず且つ安全装置捕捉アーム５４は把持部１４の停止表面４２に対向して位置する。安全装置２６の前縁１３０は把持部１４の前側輪郭を越えて突出し、ユーザはそれを押し込むことができる。安全装置２６が押し込まれたときには上記安全装置は図７に示したように移動し、そのアーム部材５４は把持部停止表面４２と対向しなくなって把持部のキャビティ４０内へと移動するので、トリガは図８に示された位置へと完全に押し込まれることができ、このときに上記スプール弁の流路が上記取入通路と整列されて各発泡体成分が上記供給器を通して流れる。
【００４８】
直上に記述された上記供給器全体はその好適形態において、上記スプール、留具、トリガスプリングおよび継手を除き、プラスチック材料で作成することができる。本発明の主な利点は、上記安全装置が上記スプール弁の不注意なもしくは偶発的な操作に対する簡素な障害物を提供すると共にユーザの付加的な作業なしで上記安全装置をその「オン」位置へと自動的にリセットすることにある。これにより、上記ガンの操作および保守は相当に簡素化される。付加的な利点としては、製造の容易さ、成分浪費の減少、コストの低下および優れた作業安全性が挙げられる。
【００４９】
上記ノズル自体は当業者に公知のタイプのものであり、一連のバッフルや、放出前に各発泡体成分を混合することができるその均等物を含む。
【００５０】
上記スプールは自動ネジ切り盤などで製造され、端部タブ、横断流体通路および円周Ｏリング溝を備えた円筒状スプールである。該スプールは上記ヨーク形式トリガと整列位置に配置されるが、該トリガはその内面をハウジング１６の外側面の直近に位置させることでスプール端部の遊びを防止するものでもある。
【００５１】
使用に際してホースの離れた方の端部は、公知様式で補給タンクに掛止される。次に、上記供給器にノズル組立体を挿入することのみが必要である。上記ノズルが完全に着座されたとき、該ノズルは上記ラッチとの係合により所定位置に保持される。そして、トリガ２４を把持し、安全装置２６を起動して両者を把持部に向けて移動することが、ノズル吐出口を介して発泡体プラスチック生成物を放出するのに必要とされる。ユーザがトリガ２４を解放した後、上記安全装置は「オン」位置へと自動的にリセットされる。安全装置２６を起動せずに供給器の更なる操作を試行しても、失敗に終わる。上記供給器はタンクの中身が空になった後に捨ててもよいほどに十分に安価ではあるが、所望であれば上記ガンは熟練作業者を要さずに低コストにて容易に洗浄かつ再構築され得る。
【００５２】
使用に際して上記供給器は、簡素さ、低コストでの製造、成分浪費の減少、高い安全操作性および保守の容易さという利点を提供することから、該供給器は更に相当に高価な供給器にも見られない特徴を提供する。
【００５３】
本発明の好適な実施形態は発泡体成分供給器に関して示され且つ記述されたが、本発明は他の流体供給器に対しても利用かつ適用され得ることから、当業者であれば、添付の各請求項により有効範囲が定義された発明の精神から逸脱せずに変更および改変が為され得ることは明らかであろう。
【図面の簡単な説明】
【図１】
本発明の原理を取入れた安全機構を有する供給器の斜視図である。
【図２】
図１の供給器の種々の構成要素を示す該供給器の分解斜視図である。
【図３】
図１の供給器の断面図であり、安全装置が「オン」位置にある状態を示している。
【図４】
図３と同一の断面図であるが、安全装置が「オフ」位置にあり、トリガが完全に押し込まれている状態を示している。
【図５】
図３および図４と同様の断面図であり、安全装置すなわちトリガロックが「オン」であり、トリガが完全に移動することを停止されている状態を示している。
【図６】
本発明の原理に従って構成された供給器の別の実施形態の断面図であり、安全装置が「オン」位置にある状態を示している。
【図７】
図６と同様の垂直断面図であり、安全装置が「オフ」位置にあり、トリガが初期移動において部分的に押し込まれている状態を示している。
【図８】
図６および図７と同様の垂直断面図であり、安全装置が「オフ」位置にあり、トリガが完全に押し込まれている状態を示している。
【図９】
発泡体供給器から取り外されたトリガおよび安全装置の正面図である。
【図１０】
発泡体供給ガンに組み込まれた従来技術の安全機構の側断面図である。
【国際公開パンフレット】
2004512936.tif 000003
2004512936.tif 000004
2004512936.tif 000005
2004512936.tif 000006
2004512936.tif 000007
2004512936.tif 000008
2004512936.tif 000009
2004512936.tif 000010
2004512936.tif 000011
2004512936.tif 000012
2004512936.tif 000013
2004512936.tif 000014
2004512936.tif 000015
2004512936.tif 000016
2004512936.tif 000017
2004512936.tif 000018
2004512936.tif 000019
2004512936.tif 000020
2004512936.tif 000021
2004512936.tif 000022
2004512936.tif 000023
2004512936.tif 000024
2004512936.tif 000025
2004512936.tif 000026
2004512936.tif 000027
2004512936.tif 000028
2004512936.tif 000029
【国際公開パンフレット（コレクトバージョン）】
2004512936.tif 000030
2004512936.tif 000031
【国際調査報告】
2004512936.tif 000032